(57)【特許請求の範囲】
【請求項１】
上部が開口した中空部を上部側に形成し、この中空部の下部側の中心に上下に貫通した合成樹脂製の段付き軸受を設けて石材回転体を形成し、この石材回転体の下部に台石を設け、この台石の上部中心に、肩部を形成した支持軸を上方に向かって立設し、この支持軸を前記石材回転体の段付き軸受に貫通させ、支持軸の肩部で、段付き軸受の段部を支持して石材回転体を回転自在に支持し、上部が開口した中空部を形成した円筒部の上部に、外径が石材回転体の外径より大きいリング状の鍔部を設けて石材花立支持部を形成し、この円筒部を前記石材回転体の上部中空部内に間隔をおいて挿入して、前記段付き軸受から上方に突出した支持軸の上部を、円筒部の底部に一体に接続し、石材花立支持部の中空部に花立容器を挿着すると共に、中空部を形成した石材花立支持部の円筒部の底部側に、石材回転体の中空部に連通する第１の水抜き孔を形成すると共に、石材回転体の上部側の中空部と、この底面との間を連通する第２の水抜き孔を開孔して、石材花立支持部の中空部に流れた水を、第１および第２の水抜き孔を通して台石と石材回転体との間の隙間に排水するようにしたことを特徴とする回転式花立。
【請求項２】
石材回転体の重心位置が、支持軸の肩部で回転自在に支持された段付き軸受の段部より低い位置になるように形成されていることを特徴とする請求項１記載の回転式花立。
【発明の詳細な説明】
【技術分野】
【０００１】
本発明は、仏壇にも設置でき複数の戒名を彫り込むことができる回転式花立に関するものである。
【背景技術】
【０００２】
一般に仏壇に花を供える時には、花瓶に花を生けて供えている。また墓前に設置されている花立は石材で、上部が開口した中空円形の花立支持部が形成され、ここに金属や合成樹脂製の花立容器を挿入した構造のものが用いられている（特許文献１）。
【０００３】
また仏壇には位牌が置かれているが、小さな仏壇では多数の位牌を置くことができず、また位牌を作成する場合高価な問題ある。また墓前には石材製の墓誌が設置されているが、狭い墓地では横向きに設置されていることが多く、正面から見えない場合がある。
【先行技術文献】
【特許文献】
【０００４】
【特許文献１】特開２００１−１１５６８７号公報
【発明の概要】
【発明が解決しようとする課題】
【０００５】
本発明は上記問題を改善し、仏壇に設置する位牌を省いて、複数の戒名を彫り込むことができる重量感のある石材製の花立てを提供すると共に、墓前に設置する場合に墓誌を省いて、複数の戒名を彫り込むことができる花立てを提供でき、しかも焼香する時には回転させて戒名を正面に向けることができる回転式花立を提供するものである。
【課題を解決するための手段】
【０００６】
本発明の請求項１記載の回転式花立は、上部が開口した中空部を上部側に形成し、この中空部の下部側の中心に上下に貫通した合成樹脂製の段付き軸受を設けて石材回転体を形成し、この石材回転体の下部に台石を設け、この台石の上部中心に、肩部を形成した支持軸を上方に向かって立設し、この支持軸を前記石材回転体の段付き軸受に貫通させ、支持軸の肩部で、段付き軸受の段部を支持して石材回転体を回転自在に支持し、上部が開口した中空部を形成した円筒部の上部に、外径が石材回転体の外径より大きいリング状の鍔部を設けて石材花立支持部を形成し、この円筒部を前記石材回転体の上部中空部内に間隔をおいて挿入して、前記段付き軸受から上方に突出した支持軸の上部を、円筒部の底部に一体に接続し、石材花立支持部の中空部に花立容器を挿着すると共に、中空部を形成した石材花立支持部の円筒部の底部側に、石材回転体の中空部に連通する第１の水抜き孔を形成すると共に、石材回転体の上部側の中空部と、この底面との間を連通する第２の水抜き孔を開孔して、石材花立支持部の中空部に流れた水を、第１および第２の水抜き孔を通して台石と石材回転体との間の隙間に排水するようにしたことを特徴とするものである。
【０００７】
本発明の請求項２記載の回転式花立は、請求項１において、石材回転体の重心位置が、支持軸の肩部で回転自在に支持された段付き軸受の段部より低い位置になるように形成されていることを特徴とするものである。
【発明の効果】
【０００８】
本発明に係る請求項１記載の回転式花立によれば、台石と石材花立支持部が支持軸を介して一体に連結され、複数の戒名を外周に彫り込んだ中間の石材回転体だけが回転するようになっているので、焼香する場合には石材回転体を回転して戒名を正面に位置させることができる。このため、仏壇に置かれていた位牌を省くことができ、また墓前に設置する場合には墓誌を省くことができ、小さな仏壇や狭い墓地でもスペースを有効に利用できると共に経済的である。
【０００９】
更に花立容器に水を入れた時に、石材花立支持部の中空部にこぼれた場合、この底部側面に開孔された第１の水抜き孔から排水されて、石材回転体の中空部に流れ、更に第２の水抜き孔を通って、台石と石材回転体の間の隙間から排水されるので、水抜き孔が外部からは見えず外観上も優れている。
【００１０】
また請求項２記載の回転式花立によれば、石材回転体の重心位置が、支持軸の肩部で回転自在に支持された段付き軸受の段部より低い位置になるように形成されているので、重量のある石材回転体は偏心して振れることなく安定して回転することができる。
【発明を実施するための最良の形態】
【００１１】
以下本発明の実施の一形態を図１および図２を参照して詳細に説明する。図において１は台石、２は石材回転体、３は石材花立支持部、４は花立容器、５は支持軸である。
【００１２】
前記台石１は平板状の石材７の中央部に、上下に貫通するボルト貫通孔８が開孔され、この底部に円形の凹部９が形成され、上部に円筒状突設部１０が形成されている。円筒状突設部１０の内側には合成樹脂で形成された円筒状の軸受１１が形成されている。この軸受１１を形成する方法は、例えば凹部９を図示しない栓で塞いで、位置決めクランプで台石１を両側から挟持して保持する。次に支持軸５の下部の小径部５Ｂと同形状の図示しない軸孔形成用シャフトを円筒状突設部１０の中心に挿着してから、この周囲に合成樹脂液を注入して、硬化したら、軸孔形成用シャフトを引き抜くことにより、円筒状の軸受１１が成型される。
【００１３】
前記石材回転体２は、円柱体１３の上部側に上部が開口した中空部１４が形成され、下部側の中心に軸挿着孔１５が上下に貫通して形成されている。またこの軸挿着孔１５に沿って第２の水抜き孔１６Ｂが上下に貫通して形成され、石材回転体２の中空部１４と、この底面の円形の凹部１７とを連通している。
【００１４】
前記軸挿着孔１５の内側には、合成樹脂で円筒状の段付き軸受２０が形成され、ここに支持軸５が挿着されている。支持軸５は、大径部５Ａの上下に小径部５Ｂ、５Ｂが形成され、大径部５Ａの上部と上部側の小径部５Ｂとの間に肩部５Ｃが形成されている。また円筒状の段付き軸受２０は、上部内径が縮小して、ここに段部２１が形成され、この段部２１を支持軸５の肩部５Ｃで支持して、石材回転体２を回転自在に支持している。更に支持軸５の上下の小径部５Ｂ、５Ｂには軸方向に沿ってボルト取付孔５Ｄ、５Ｄが形成されている。
【００１５】
前記段付き軸受２０を形成する方法は、石材回転体２を上下反転させて設置し、軸挿着孔１５の下端開口部を図示しない栓で塞いでから、軸挿着孔１５に支持軸５と同形状の図示しない軸孔形成用シャフトを反転させて挿入する。この後、合成樹脂液を注入して、硬化したら軸孔形成用シャフトを引き抜くことにより段付き軸受２０が内側に形成される。
【００１６】
また前記石材花立支持部３は、上部が開口した中空部２３を形成した円筒部３Ａの上部に、外径が石材回転体２の外径より大きいリング状の鍔部３Ｂを設けて形成されている。この円筒部３Ａの底部を貫通してボルト貫通孔８とこれより内径の大きな円形の凹部９が形成され、このボルト貫通孔８と円形の凹部９の内側に合成樹脂で形成された軸受２４が設けられている。更に円筒部３Ａの底部側面には、第１の水抜き孔１６Ａが横方向に開孔されている。
【００１７】
この軸受２４を形成する方法は、石材花立支持部３を反転させて設置し、ボルト貫通孔８の下を図示しない栓で塞いで、位置決めクランプで両側から挟持して保持する。次に支持軸５の上部の小径部５Ｂと同形状の図示しない軸孔形成用シャフトをボルト貫通孔８と凹部９の中心に挿着してから、この周囲に合成樹脂液を注入して、硬化したら、軸孔形成用シャフトを引き抜くことにより、軸受２４が成型される。    
【００１８】
この石材花立支持部３の円筒部３Ａを前記石材回転体２の上部中空部１４内に間隔をおいて挿入し、前記段付き軸受２０から上方に突出した支持軸５の小径部５Ｂを、円筒部３Ａの底部に形成した軸受２４に装着してボルト６で一体に接続されている。この結果、石材花立支持部３の底部側に横方向に開孔した第１の水抜き孔１６Ａは、石材回転体２の中空部１４を介して、内側に縦方向に形成した第２の水抜き孔１６Ｂに連通した構造となっている。
【００１９】
次に回転式花立の組み立て方法について説明する。先ず台石１の円筒状の軸受１１に支持軸５の小径部５Ｂを挿着して、底部の円形の凹部９からボルト貫通孔８を通してボルト６を支持軸５のボルト取付孔５Ｄに螺合させて、支持軸５を立設する。次に支持軸５の上から石材回転体２を被せて段付き軸受２０を上下に貫通させると、支持軸５の肩部５Ｃで軸受２０の段部２１を支持した状態となり、石材回転体２が支持軸５に回転自在に支持される。
【００２０】
この後、段部２１の上方に突出した支持軸５の小径部５Ｂを、石材花立支持部３の底部に形成した軸受２４に挿入してから、ボルト６をボルト貫通孔８に通してボルト取付孔５Ｄに螺合して固定することにより、台石１と石材花立支持部３が支持軸５を介して一体に連結され、中間の石材回転体２だけが回転するようになっている。
【００２１】
従って上記構造の回転式花立は、図２に示すように石材回転体２の外周面に、戒名２６や家紋２７、梵字などを彫り込む。また複数の戒名２６を彫り込むことができる。使用する場合は、石材花立支持部３の中空部２３に金属や合成樹脂製の花立容器４を挿入して、仏壇や墓前に設置する。花立容器４に水を入れて花を供える。焼香する場合には石材回転体２を回転して戒名２６を正面に位置させる。
【００２２】
石材回転体２の重心位置は、支持軸５の肩部５Ｃで回転自在に支持された段付き軸受２０の段部２１より低い位置になるように形成されているので、石材回転体２は偏心して振れることなく安定して回転することができる。また花立容器４に水を入れた時に、石材花立支持部３の中空部２３にこぼれた場合、石材回転体２の底部側面に横方向に開孔した第１の水抜き孔１６Ａから排水されて、石材回転体２の中空部１４に流れ、更にこれに連通する石材回転体２の内側下部に縦方向に開孔した第２の水抜き孔１６Ｂとで石材回転体２の底面から排水するようになっているので、石材回転体２の外周に戒名２６を書けると共に水抜き孔が外部からは見えず、外観上も優れている。
【００２３】
また石材回転体２は円柱体１３で形成されて表面積が広いので、複数の戒名２６を彫り込むことができる。また室内の仏壇に設置する場合、石材回転体２の外周に複数の戒名２６を彫り込むことにより、高価な位牌を別に作成する必要がない。
【００２４】
図３は本発明の他の実施の形態を示すもので、石材回転体２を多角柱体２８で形成したもので、各平面に戒名２６や家紋２７、梵字などを彫り込むことできる。この場合、多角柱体２８は六角形や八角形でも良い。
【図面の簡単な説明】
【００２５】
【図１】本発明の実施の一形態による回転式花立の断面図である。
【図２】図１の回転式花立を示す斜視図である。
【図３】本発明の他の実施の形態による回転式花立の斜視図である。
【符号の説明】
【００２６】
１    台石                                                  
２    石材回転体                                            
３    石材花立支持部                                        
３Ａ 円筒部 
３Ｂ 鍔部 
４    花立容器                                              
５    支持軸                                                
５Ａ  大径部                                                
５Ｂ  小径部                                                
５Ｃ  肩部                                                  
５Ｄ  ボルト取付孔                                          
６    ボルト                                                
７    平板状の石材      
８    ボルト貫通孔  
９    円形の凹部    
１０  円筒状突設部
１１  円筒状の軸受                                          
１３  円柱体                                                
１４  中空部                                                
１５  軸挿着孔                                              
１６Ａ  第１の水抜き孔                                      
１６Ｂ  第２の水抜き孔                                      
１７  円形の凹部                                            
１８  隙間                                                  
２０  段付き軸受                                            
２１  段部              
２３  中空部        
２４  軸受          
２６  戒名          
２７  家紋                                                  
２８  多角柱体                                              
【図１】
0005507280.tif 000002
【図２】
0005507280.tif 000003
【図３】
0005507280.tif 000004